(57)【要約】【課題】乾式クラッチを発進クラッチとして用いるダブルクラッチ変速機や自動化手動変速機などの変速機を搭載した車両において、車両のサージを防止し、乗車感を向上させて車両の高級感を高めた、車両のクラッチ制御方法を提供する。【解決手段】本発明の車両のクラッチ制御方法は、クリープ制御中に加速ペダルの操作があるか否かを判断する加速ペダル操作判断段階と、加速ペダル操作判断段階の結果、クリープ制御中に加速ペダルの操作があると判断された場合、クリープ制御中のクラッチ制御トルクであるクリープトルクより、加速ペダルの操作量に基づいて計算されるクラッチ制御トルクである発進トルクが大きくなる時点に、クラッチに加えられるクラッチ制御トルクを、クリープトルクから発進トルクへ漸進的に大きくなりながら連結されるように制御する連結制御段階とを含んでなることを特徴とする。【選択図】図４
2014066354.tif 000002
【特許請求の範囲】
【請求項１】
クリープ制御中に加速ペダルの操作があるか否かを判断する加速ペダル操作判断段階と、
前記加速ペダル操作判断段階の結果、前記クリープ制御中に前記加速ペダルの操作があると判断された場合、前記クリープ制御中のクラッチ制御トルクであるクリープトルクより、前記加速ペダルの操作量に基づいて計算された前記クラッチ制御トルクである発進トルクが大きくなる時点に、クラッチに加えられた前記クラッチ制御トルクを、前記クリープトルクから前記発進トルクへ漸進的に増加させて連結するように制御する連結制御段階と、を含んでなることを特徴とする車両のクラッチ制御方法。
【請求項２】
前記連結制御段階では、
前記クリープ制御中に入力された前記加速ペダルの操作量に応じて前記クリープトルクを漸進的に増加させることを特徴とする請求項１に記載の車両のクラッチ制御方法。
【請求項３】
前記連結制御段階では、
前記クリープトルクに、前記クリープ制御中に入力された前記加速ペダルの操作量に応じたクリープ補償トルクを加えることにより、クリープ最終トルクを求め、
前記クリープ最終トルクを、前記加速ペダルの操作量に基づいて計算された前記発進トルクと比較して、
前記発進トルクが前記クリープ最終トルクより大きくなるときまでは前記クリープ最終トルクを前記クラッチ制御トルクとし、それ以後は、前記発進トルクを前記クラッチ制御トルクとして前記クラッチを制御することを特徴とする請求項１に記載の車両のクラッチ制御方法。
【請求項４】
前記連結制御段階では、
前記クリープトルクに、前記クリープ制御中に入力された前記加速ペダルの操作量に応じたクリープ補償トルクを加えることにより、クリープ最終トルクを求め、
前記クリープ最終トルクと前記加速ペダルの操作量に基づいて計算された前記発進トルクのうち大きい値を前記クラッチ制御トルクとして前記クラッチを制御することを特徴とする請求項１に記載の車両のクラッチ制御方法。
【請求項５】
前記連結制御段階は現在のエンジン回転数がエンジンのアイドル目標回転数より大きい場合にのみ行うことを特徴とする請求項１ないし４のいずれか１項に記載の車両のクラッチ制御方法。
【発明の詳細な説明】
【技術分野】
【０００１】
本発明は、車両のクラッチ制御方法に係り、より詳しくは、自動化手動変速機又はダブルクラッチ変速機搭載車両がクリープ走行中に加速ペダル操作による発進制御が行われた場合の車両のクラッチ制御方法に関する。
【背景技術】
【０００２】
従来の乾式クラッチを使用している自動化手動変速機（Ａｕｔｏｍａｔｅｄ  Ｍａｎｕａｌ  Ｔｒａｎｓｍｉｓｓｉｏｎ：ＡＭＴ）やダブルクラッチ変速機（Ｄｕａｌ  Ｃｌｕｔｃｈ  Ｔｒａｎｓｍｉｓｓｉｏｎ：ＤＣＴ）などでは、従来のトルクコンバーターを備えた自動変速機車両で発生するクリープ（ｃｒｅｅｐ）走行状態をクラッチの制御によって形成するので、運転者が加速ペダルを踏んでいない状態でもクラッチを制御して車両が徐々に進むように制御する（特許文献１〜４参照）。
前述したクリープ走行の際に運転者が加速ペダルを踏むと、その加速ペダルの操作量に応じた車両走行が行われるように制御するので、この際の制御を発進（Ｌａｕｎｃｈ）制御という。
【０００３】
図１は従来の技術に係る車両のクラッチ制御方法を説明する順序図、図２は図１の制御方法によるクラッチ制御トルクと、エンジンの回転数及び変速機入力軸の回転速度の変化を示すグラフである。
図１に示したとおり、コントローラが、クリープ制御中のクラッチ制御トルクであるクリープトルクを算出し、それに基づいてクラッチを制御することにより、クリープ走行が行われる。その途中で、運転者の加速ペダルの操作で加速ペダル位置センサ（Ａｃｃｅｌ−ｐｅｄａｌ  Ｐｏｓｉｔｉｏｎ  Ｓｅｎｓｏｒ：以下、ＡＰＳと略すことがある）がオンにされて発進制御を行わなければならない状況になると、コントローラは、クリープ走行中のクラッチ制御トルクであるクリープトルクと、加速ペダルの操作による発進制御のためのクラッチ制御トルクである発進トルクをそれぞれ計算した後、これらのうち大きい値をクラッチ制御トルクとしてクラッチを制御する。
【０００４】
前述した制御によって、従来技術では、クリープ制御が行われている間に運転者の加速ペダルの操作によって発進制御に転換されると、クリープ走行中のクラッチ制御トルクに比べて非常に大きいクラッチ制御トルクに急激に転換されるため、図２に示したとおり変速機入力軸の回転振動を誘発し、結果として車両のサージ（ｓｕｒｇｅ）が発生する。
したがって、クリープ走行中に加速ペダルを操作すると、車両のサージ発生によって車両の乗車感が低下し、これによって車両の商品性を低下させるという問題があった。
【先行技術文献】
【特許文献】
【０００５】
【特許文献１】特開２０００−００９１５７号公報
【特許文献２】特開平１０−２４６３２６号公報
【特許文献３】特開平０５−２８０５５８号公報
【特許文献４】特開平０５−２５６３２４号公報
【発明の概要】
【発明が解決しようとする課題】
【０００６】
本発明は上記の問題を解決するためになされたものであって、その目的とするところは、乾式クラッチを発進クラッチとして用いるダブルクラッチ変速機や自動化手動変速機などの変速機を搭載した車両において、車両のサージを防止し、乗車感を向上させて車両の高級感を高めた、車両のクラッチ制御方法を提供することにある。
【課題を解決するための手段】
【０００７】
上記の目的を達成するためになされた本発明の車両のクラッチ制御方法は、クリープ制御中に加速ペダルの操作があるか否かを判断する加速ペダル操作判断段階と、加速ペダル操作判断段階の結果、クリープ制御中に加速ペダルの操作があると判断された場合、クリープ制御中のクラッチ制御トルクであるクリープトルクより、加速ペダルの操作量に基づいて計算されたクラッチ制御トルクである発進トルクが大きくなる時点に、クラッチに加えられたクラッチ制御トルクを、クリープトルクから発進トルクへ漸進的に増加させて連結するように制御する連結制御段階と、を含んでなることを特徴とする。
【０００８】
連結制御段階では、クリープ制御中に入力された加速ペダルの操作量に応じてクリープトルクを漸進的に増加させることを特徴とする。
連結制御段階では、クリープトルクに、クリープ制御中に入力された加速ペダルの操作量に応じたクリープ補償トルクを加えることにより、クリープ最終トルクを求め、クリープ最終トルクを、加速ペダルの操作量に基づいて計算された発進トルクと比較して、発進トルクが前記クリープ最終トルクより大きくなるときまではクリープ最終トルクをクラッチ制御トルクとし、それ以後は、発進トルクをクラッチ制御トルクとしてクラッチを制御することを特徴とする。
【０００９】
連結制御段階では、クリープトルクに、クリープ制御中に入力された加速ペダルの操作量に応じたクリープ補償トルクを加えることにより、クリープ最終トルクを求め、クリープ最終トルクと加速ペダルの操作量に基づいて計算された発進トルクのうち大きい値をクラッチ制御トルクとしてクラッチを制御することを特徴とする。
連結制御段階は、現在のエンジン回転数がエンジンのアイドル目標回転数より大きい場合にのみ行うことを特徴とする。
【発明の効果】
【００１０】
本発明の車両のクラッチ制御方法によると、乾式クラッチを発進クラッチとして用いるダブルクラッチ変速機や自動化手動変速機などの変速機を搭載した車両において、制御ロジックによってクリープ走行を実現する途中で運転者の加速ペダルの操作による発進制御への転換の際に、クラッチ制御トルクの緩やかな変化を実現することにより、車両のサージを防止し、乗車感を向上させて車両の高級感を高めることができる。
【図面の簡単な説明】
【００１１】
【図１】従来の技術に係る車両のクラッチ制御方法を説明する順序図である。
【図２】図１の制御方法によるクラッチ制御トルクと、エンジンの回転数及び変速機入力軸の回転速度の変化を示すグラフである。
【図３】本発明に係る車両のクラッチ制御方法の実施例を説明する順序図である。
【図４】図３の制御方法によるクラッチ制御トルクと、エンジンの回転数及び変速機入力軸の回転速度の変化を示すグラフである。
【発明を実施するための形態】
【００１２】
図３は、本発明に係る車両のクラッチ制御方法の実施例を説明する順序図であり、
図４は、図３の制御方法によるクラッチ制御トルクと、エンジンの回転数及び変速機入力軸の回転速度の変化を示すグラフである。
図３及び図４に示したとおり、本発明に係る車両のクラッチ制御方法は、クリープ制御中に加速ペダルの操作があるか否かを判断する加速ペダル操作判断段階（Ｓ１０）と、加速ペダル操作判断段階（Ｓ１０）の結果、クリープ制御中に加速ペダルの操作があると判断された場合、クリープ制御中のクラッチ制御トルクであるクリープトルクより、加速ペダルの操作量（ｆ）に基づいて計算されたクラッチ制御トルクである発進トルクが大きくなる時点に、実際クラッチに加えられたクラッチ制御トルクを、クリープトルクから発進トルクへ漸進的に増大しながら連結するように制御する連結制御段階（Ｓ２０）とを含んでなる。
すなわち、クリープ制御中に加速ペダルの操作があって発進制御に遷移する間に、従来のようにクリープ制御から何らの措置もなく急激に発進制御に転換されるのではなく、クリープ制御と発進制御との間に連結制御段階（Ｓ２０）を行うことにより、クラッチ制御トルクを緩やかに変化させ、変速機入力軸の回転振動を防止し、これにより車両のサージを防止して乗車感を向上させる。
【００１３】
クリープ制御状況では、エンジンの回転数と変速機入力軸の回転数に差が生ずることを前提にクラッチのスリップ制御が行われており、一方、発進制御の際には徐々に変速機入力軸の回転数をエンジンの回転数と同期させるように制御する。
連結制御段階（Ｓ２０）では、クリープ制御中に入力された加速ペダルの操作量に応じてクリープトルクを漸進的に増加させる方法によって、クリープ制御から発進制御へ転換する。
すなわち、連結制御段階（Ｓ２０）では、クリープトルクに、クリープ制御中に入力された加速ペダルの操作量に応じたクリープ補償トルクを加えることにより、クリープ最終トルクを求める。このクリープ最終トルクと加速ペダルの操作量に基づいて計算された発進トルクとを比較して、発進トルクがクリープ最終トルクより大きくなるときまではクリープ最終トルクをクラッチ制御トルクとし、それ以後は、発進トルクをクラッチ制御トルクとしてクラッチを制御する。
【００１４】
このような制御のために、コントローラは、クリープ最終トルク及び加速ペダルの操作量に基づいて計算される発進トルクのうち大きい値をクラッチ制御トルクとして設定してクラッチを制御する。発進トルクがクリープ最終トルクより大きくなるときまではクリープ最終トルクをクラッチ制御トルクとし、それ以後は、発進トルクをクラッチ制御トルクとしてクラッチを制御する。
【００１５】
図４に基づいて本発明の制御方法について説明する。クリープ制御中に運転者が加速ペダルを踏んで加速ペダル位置センサ（ＡＰＳ）信号が発生すると、このＡＰＳ信号によって計算された発進制御に使用される発進トルクは、最初はクリープトルクより小さいが、時間経過に伴って次第に大きくなってクリープトルクより大きくなる。従来技術では、このように発進トルクがクリープトルクより大きくなると、クラッチ制御トルクをクリープトルクから発進トルクへ一気に転換することにより、クリープ制御から発進制御へ急激に転換され、サージが発生した。これに対し、本発明では、ＡＰＳ信号で代表される加速ペダルの操作量に基づいてクリープ補償トルクを計算し、これをクリープトルクに加えてクリープ最終トルクを求めることにより、実質的にクリープトルクがＡＰＳ信号に応じて徐々に増加し、発進トルクへ連結される。クラッチ制御トルクは、図４において、クリープトルクからＡＰＳ信号に応じて増加するクリープトルクを経て発進トルクに繋がる緩やかな曲線を描く。
勿論、前述したようにクラッチ制御トルクが緩やかに変化するにつれて、クラッチの緩やかな作動で変速機入力軸の回転振動の発生が防止され、これにより車両のサージが解消されて車両の乗車感が改善される。
【００１６】
一方、連結制御段階（Ｓ２０）は、現在のエンジン回転数がエンジンのアイドル目標回転数より大きい場合にのみ行う。
これは、現在のエンジン回転数がエンジンのアイドル目標回転数以下の場合に、クリープ補償トルクをクリープトルクに加えてクラッチ制御トルクを計算すると、エンジンに急激な回転数の増加が要求され、エンジンに過度な負荷が作用してエンジンが停止することがあるためであり、このような状況を避けるために、連結制御段階（Ｓ２０）は、現在のエンジン回転数がエンジンのアイドル目標回転数より大きい場合にのみ行われる。
【００１７】
以上、本発明に関する好ましい実施例を説明したが、本発明の範囲は特定の実施例に限定されるものではなく、特許請求の範囲によって解釈されなければならない。また、この技術分野で通常の知識を有する者なら、本発明の技術的範囲内で多くの修正と変形ができることはいうまでもない。
【符号の説明】
【００１８】
ＡＰＳ    加速ペダル位置センサ
ｆ    加速ペダルの操作量
ＲＰＭ    回転数
Ｓ１０    加速ペダル操作判断段階
Ｓ２０    連結制御段階
【図１】
2014066354.tif 000003
【図２】
2014066354.tif 000004
【図３】
2014066354.tif 000005
【図４】
2014066354.tif 000006